(57)【要約】【課題】  本発明は、組み付けの容易な部品を数点用意し、これらの部品をリング部材の石座部材取り付け用の凹陥部上に下から順にセットしていくだけで、指輪を正確かつ簡単に組み付けることができ、かつ組み付けられた指輪に係止した宝石は立体的で実物よりも大きく見せることができ、完成した指輪は全体形状がフラワー状を呈するものである。【解決手段】  金属製のリング部材と、金属製の花弁状を呈する石座部材と、金属製のオシベ状を呈する爪体と、宝石とで構成される指輪であって、リング部材には石座部材取り付け用の凹陥部を形成し、この凹陥部に花弁状を呈する石座部材を配設し、この石座部材の中央付近に窪みを形成し、この窪みの内周壁面には、窪みの内底部から上端開口部に至る位置に複数の縦状溝を刻設し、この縦状溝にオシベ状を呈する爪体を配設し、リング部材と石座部材と爪体とをロウ付けにより一体的に固定し、この爪体にて宝石を係止した。【選択図】  図１１
2005152289.tif 000002
【特許請求の範囲】
【請求項１】
金属製のリング部材と、金属製の花弁状を呈する石座部材と、金属製のオシベ状を呈する爪体と、宝石とで構成される指輪であって、
リング部材には石座部材取り付け用の凹陥部を形成し、この凹陥部に花弁状を呈する石座部材を配設し、この石座部材の中央付近に窪みを形成し、この窪みの内周壁面には、窪みの内底部から上端開口部に至る位置に複数の縦状溝を刻設し、この縦状溝にオシベ状を呈する爪体を配設し、リング部材と石座部材と爪体とをロウ付けにより一体的に固定し、この爪体にて宝石を係止したことを特徴とする指輪。
【請求項２】
金属製のリング部材と、金属製の花弁状を呈する石座部材と、金属製のオシベ状を呈する爪体と、宝石とを用意し、前記リング部材には石座部材取り付け用の凹陥部を形成しておき、前記石座部材の中央付近には窪みを形成しておき、この窪みの内周壁面には、窪みの内底部から上端開口部に至る位置に複数の縦状溝を刻設しておき、
リング部材に形成した石座部材取り付け用の凹陥部に花弁状を呈する石座部材を配設してロウ付けし、次いで石座部材の中央付近に形成した窪みの内周壁面に刻設した複数の縦状溝にオシベ状を呈する爪体を配設してロウ付けし、次いで爪体の内側の石座部材の窪み内に宝石を載置した後、爪体にて宝石を係止することを特徴とする指輪の組み付け方法。
【発明の詳細な説明】
【技術分野】
【０００１】
本発明は指輪及びその組み付け方法に係り、さらに詳しくは、リング部材（通常「腕」と呼ばれる）に形成した石座部材取り付け用の凹陥部上に、花弁状を呈する石座部材と、オシベ状の爪体とを下から順に組み付け、次いで前記爪体の先端を折り曲げてダイヤモンド等の宝石を係止することにより全体がフラワー状を呈する指輪を完成させ、このようにして係止した宝石は、立体的で実物よりも大きく見え、かつその指輪の組み付け作業が、熟練技術者でなくても簡単かつ効率的に行えるという指輪及びその組み付け方法を提供するものである。
【背景技術】
【０００２】
従来の指輪は、リング部材に石座部材を取り付け、この石座部材に爪体を一体又は別体に取り付け、この爪体で宝石を係止するものであった。
【０００３】
ここで石座部材と爪体とを一体的に形成する場合は、爪体の強度の関係等の理由から爪体をあまり大きく形成することができず、一方石座部材と爪体とを別体に形成する場合は、石座部材に爪体を取り付ける際の位置決めやその固定に手間がかかるという問題点があった。
【０００４】
また、石座部材はリング部材にロウ付けされる関係から、あまり大きなものに形成できず、仮にこの石座部材を大きなものに形成した場合には、全体のバランスが悪くなって指輪の完成時の見栄えが損なわれるという問題点があった。
【０００５】
【特許文献１】特開平９−１５４６０６号公報
【０００６】
この特許文献１に記載された指輪は、石座部材を備えずに、直接リング部材に宝石を取り付ける構成であった。
【発明の開示】
【発明が解決しようとする課題】
【０００７】
この特許文献１の指輪は、石座部材はもちろんのこと、石座部材に代わる部品を一切使用しないので、宝石がリング部材の石座部材取り付け用の凹陥部の中に埋没してしまい、宝石を立体的で実物よりも大きく見せることができず、完成した全体形状も特に変哲のないありきたりの形状である等の問題点があった。
【０００８】
さらにその指輪の組み付け方法も熟練を要するものであり、未熟練者には簡単かつ効率的に組み付けられないという問題点もあった。
【０００９】
本発明は、組み付けの容易な部品を数点用意し、これらの部品をリング部材の石座部材取り付け用の凹陥部上に下から順にセットしていくだけでだけで、指輪を簡単に組み付けることができ、かつ組み付けられた指輪に係止した宝石は立体的で実物よりも大きく見せることができ、かつ全体がフラワー状を呈する面白みに富んだ形状であるという特徴を有する指輪及び組み付け方法を提供することで、上記の全ての問題点を解消せんとするものである。
【課題を解決するための手段】
【００１０】
上記目的を達成するために、請求項１記載の発明は、金属製のリング部材と、金属製の花弁状を呈する石座部材と、金属製のオシベ状を呈する爪体と、宝石とで構成される指輪であって、リング部材には石座部材取り付け用の凹陥部を形成し、この凹陥部に花弁状を呈する石座部材を配設し、この石座部材の中央付近に窪みを形成し、この窪みの内周壁面には、窪みの内底部から上端開口部に至る位置に複数の縦状溝を刻設し、この縦状溝にオシベ状を呈する爪体を配設し、リング部材と石座部材と爪体とをロウ付けにより一体的に固定し、この爪体にて宝石を係止したことを特徴とする指輪である。
【００１１】
請求項２は、金属製のリング部材と、金属製の花弁状を呈する石座部材と、金属製のオシベ状を呈する爪体と、宝石とを用意し、前記リング部材には石座部材取り付け用の凹陥部を形成しておき、前記石座部材の中央付近には窪みを形成しておき、この窪みの内周壁面には、窪みの内底部から上端開口部に至る位置に複数の縦状溝を刻設しておき、リング部材に形成した石座部材取り付け用の凹陥部に花弁状を呈する石座部材を配設してロウ付けし、次いで石座部材の中央付近に形成した窪みの内周壁面に刻設した複数の縦状溝にオシベ状を呈する爪体を配設してロウ付けし、次いで爪体の内側の石座部材の窪み内に宝石を載置した後、爪体にて宝石を係止することを特徴とする指輪の組み付け方法である。
【発明の効果】
【００１２】
以上述べたように、請求項１及び２による指輪及び組み付け方法によれば、セットすべき部材が予め正確な位置に来るように用意されているので、これらの部材をセット順に組み付けていくだけで簡単かつ効率的に組み付けが完了し、そこで完成した指輪においては、宝石が立体的で実際のものよりも大きく見え、全体形状がフラワー状を呈するので、豪華な指輪となり、指輪としての価値を高めることができる等の効果を発揮する。
【発明を実施するための最良の形態】
【００１３】
以下添付図面に基づいて、本発明に係る指輪及びその組み付け方法の実施例を詳説する。
図1は本発明に係るリング部材の正面図、図２は同平面図、図３は前図のＡ−Ａ線断面図である。また図４は石座部材の正面図、図５は同平面図、第６図は前図のＢ−Ｂ線断面図である。
さらに図７は爪体の正面図、図８は同縦断面図、図９はリング部材の凹陥部に石座部材を配設した状態の一部断面正面図、図１０は前図に爪体を配設した状態の一部断面正面図、図１１は前図に宝石を配設して組み付けを完了した指輪全体の正面図である。
【実施例１】
【００１４】
図１乃至図3に示すリング部材１は、プラチナ、ゴールド、シルバー等の適宜の金属で形成され、その一部には凹陥部２を形成している。この凹陥部２の外側面には植物の萼模様２ａを形成することが美観上の観点からは好ましいが、特に萼模様２ａを付さなくても全く問題はない（図１乃至３の例では、萼模様２ａを呈するように表示してある）。
この凹陥部２は、後述する石座部材３を正確な位置に取り付けるためのものであるから、その大きさや深さなどの寸法は、その目的の範囲内で自由に選択される。
【００１５】
つぎに、図４乃至図６に示す石座部材３は、プラチナ、ゴールド、シルバー等の適宜の金属で形成され、その中央付近には窪み４を形成している。この窪み４の内周壁面には、窪み４の内底部から上端開口部に至る位置に複数の縦状溝５が刻設されている。この縦状溝５の本数及び形状は、後述するオシベ状の爪体６の本数及び形状と基本的に対応することとなる。
【００１６】
前記のリング部材１の凹陥部２に石座部材３を差し込んで安定した状態に配設し、その状態下でリング部材１と石座部材３をロウ付けして両部材の一体化を図ることになる。このロウ付けは、金属と金属とをロウを使用してバーナー等の炎で加熱して接合させるものであり、通常プラチナリング部材にはプラチナロウを、シルバーリング部材にはシルバーロウを使用すると全体が均質なものに仕立て上がるので好適である。
【００１７】
続いて、石座部材３の窪み４の内周壁面に刻設形成した縦状溝５にオシベ状の爪体６を嵌入して配設すると、縦状溝５の存在により爪体６は最適の位置に自動的に収まることになり、その位置が確定したところで石座部材３と爪体６とを前記と同様の手順でロウ付けする。ここで、石座部材３と爪体６とのセット位置合わせは縦状溝５の存在により極めて簡単になり、指輪の組み付け作業は簡単かつ効率的に行われる。
【００１８】
なおオシベ状の爪体６としては、図７及び図８に示すようなものが好適であるが、必ずしもそれに限定されるものではない。要は、爪体６が１本づつバラバラになるものではなく、全体が一部材として連続体（例えば図面に示すようなツリー状の連続体）になっていることが重要なことである。爪体６の先端の分岐部分の本数は、通常３〜６本程度である。この爪体６の先端部は、宝石７を上方又は側方からしっかりと押さえ込んで、宝石７がリング体からの脱落することを防止する意義がある。
【００１９】
この２回のロウ付け作業により、本発明の指輪の組み付け作業は全て終了し、後は爪体６の内側にセットした宝石７が不用意に指輪から外れないように、爪体の先端部を折り曲げて宝石７の安定保持を図ることとなる。
【産業上の利用可能性】
【００２０】
本発明の指輪及びその組み付け方法は、貴金属製の装身具を製造する産業界において、広く利用可能である。
【図面の簡単な説明】
【００２１】
【図１】本発明に係るリング部材の正面図である。
【図２】同平面図である。
【図３】前図のA−A線断面図である。
【図４】本発明に係る石座部材の正面図である。
【図５】同平面図である。
【図６】前図のB−B線断面図である。
【図７】本発明に係る爪体の正面図である。
【図８】同縦断面図である。
【図９】リング部材の凹陥部に石座部材を配設下状態の一部断面正面図である。
【図１０】前図に爪体を配設した状態の一部断面正面図である。
【図１１】前図に宝石を配設して組み付けを完了した指輪全体の正面図である。
【符号の説明】
【００２２】
１…リング部材
２…凹陥部
２ａ…凹陥部の外側面の萼模様
３…石座部材
４…くぼみ
５…縦状溝
６…爪体
７…宝石
【図１】
2005152289.tif 000003
【図２】
2005152289.tif 000004
【図３】
2005152289.tif 000005
【図４】
2005152289.tif 000006
【図５】
2005152289.tif 000007
【図６】
2005152289.tif 000008
【図７】
2005152289.tif 000009
【図８】
2005152289.tif 000010
【図９】
2005152289.tif 000011
【図１０】
2005152289.tif 000012
【図１１】
2005152289.tif 000013